(57)【要約】【課題】無線信号の送受信のための電源をＯＦＦにした状態で起動タイミングを検出可能な無線通信装置を提供する。【解決手段】無線通信装置は、アンテナ１４０による受信信号のうちアップリンクチャネル成分を通過させるフィルタ部１５０と、アップリンクチャネル成分を利用して入力電圧を発生する発生部１６０とを含む。この無線通信装置は、入力電圧が閾値電圧よりも高ければＨ信号を出力し、そうでなければＬ信号を出力するコンパレータ１６０を含む。この無線通信装置は、アップリンク信号の最小送信時間以上継続してＨ信号が出力され続けると、無線信号の送受信のための電源をＯＦＦからＯＮに切り替える電源管理部１３０を含む。【選択図】図１
2012015768.tif 000002
【特許請求の範囲】
【請求項１】
アンテナによる受信信号のうちアップリンクチャネル成分を通過させるフィルタ部と、
前記アップリンクチャネル成分を利用して入力電圧を発生する発生部と、
前記入力電圧が第１の閾値電圧よりも高ければ第１のＨ信号を出力し、そうでなければ第１のＬ信号を出力する第１のコンパレータと、
アップリンク信号の最小送信時間以上継続して前記第１のＨ信号が出力され続けると、無線信号の送受信のための電源をＯＦＦからＯＮに切り替える電源管理部と
を具備する無線通信装置。
【請求項２】
前記電源管理部は、前記無線信号の送受信のための電源をＯＦＦからＯＮに切り替えてから所定時間以内に前記無線通信装置への通信のハンドオーバが発生しなければ、前記無線信号の送受信のための電源をＯＮからＯＦＦに切り替える、請求項１記載の無線通信装置。
【請求項３】
前記無線信号の送受信のための電源がＯＦＦからＯＮに切り替えられてから所定時間以内に前記無線通信装置への通信のハンドオーバが発生しなければ、前記第１の閾値を増加させる更新部を更に具備する、請求項２記載の無線通信装置。
【請求項４】
前記入力電圧が前記第１の閾値電圧よりも高い第２の閾値電圧よりも更に高ければ第２のＨ信号を出力し、そうでなければ第２のＬ信号を出力する第２のコンパレータを更に具備し、
前記電源管理部は、前記アップリンク信号の最小送信時間以上継続して前記第１のＨ信号及び前記第２のＬ信号が出力され続けると、前記無線信号の送受信のための電源をＯＦＦからのＯＮに切り替える、
請求項１記載の無線通信装置。
【請求項５】
前記フィルタ部は、異なる通過帯域を持つ複数のＳＡＷ（Surface Acoustic Wave）フィルタを含む、請求項１記載の無線通信装置。
【請求項６】
前記フィルタ部は、複数の通過帯域を持つ櫛形ＳＡＷ（Surface Acoustic Wave）フィルタを含む、請求項１記載の無線通信装置。
【請求項７】
アンテナによる受信信号のうちアップリンクチャネル成分を通過させるフィルタ部と、
前記アップリンクチャネル成分を利用して入力電圧を発生する発生部と、
前記入力電圧が閾値電圧よりも高ければＨ信号を出力し、そうでなければＬ信号を出力するコンパレータと、
アップリンク信号の最小送信時間以上継続して前記Ｈ信号が出力され続けると、ＧＰＩＯ（General Purpose Input / Output）経由でハードウェア割り込みを行うことにより、無線信号の送受信のための電源をＯＦＦからＯＮに切り替えるプロセッサと
を具備する無線通信装置。
【発明の詳細な説明】
【技術分野】
【０００１】
本発明の実施形態は、無線通信装置の電源管理に関する。
【背景技術】
【０００２】
従来、無線通信（例えば、セルラ通信）のためのインフラストラクチャとして多数の基地局が設置されている。これら基地局は、典型的には、マクロセルと呼ばれる比較的広い通信エリアを提供する。電波の性質上、マクロセル内であっても、隣接マクロセルとの境界付近、屋内、地下などにおいて、通信品質が局所的に悪くなりやすい。このような通信品質の悪くなりやすい環境において上記基地局（以下、便宜的にマクロ基地局と称する）を補助するために、ナノセル、ピコセルなどと呼ばれる比較的狭い通信エリアを提供する小型基地局が設置されてきた。更に、例えば３．５ＧシステムであるＨＳＰＡ（High Speed Packet Access）システムにおいて、フェムトセルと呼ばれる更に狭い（例えば、１つの建物をカバーする程度の）通信エリアを提供するフェムトセル基地局も運用されている。一般的に、フェムトセル基地局は、マクロ基地局のマクロセル内にある建物内に設置される。
【０００３】
３．５Ｇシステム以降のセルラ通信システムは、適応変調技術に基づいて受信品質に応じた伝送速度が規定される。フェムトセル基地局の導入は、無線端末（例えば、携帯電話機）の伝送速度を飛躍的に向上させるために有効である。また、フェムトセル基地局の導入によって高速セルラ通信が容易となれば、いわゆるデュアル端末のようにセルラ通信の他に無線ＬＡＮなどの別の無線通信システムをサポートすることの優位性が薄れる。別の無線通信システムをサポートしなければ、無線端末において相応のサイズ、コスト及び消費電力を削減できる。
【０００４】
ところで、フェムトセルは、典型的には、ユーザと通信事業者との契約によってユーザの宅内に設置され、ユーザ認証によって接続を許可する無線端末を（例えば、契約ユーザの無線端末などに）制限する。このような使用態様を考慮すれば、フェムトセル基地局の稼働する必要のある時間帯は限定的であると推定できる。フェムトセル基地局の稼働する必要のない時間帯において、無線信号の送受信のための電源をＯＦＦにすることは、消費電力の削減に有効である。
【先行技術文献】
【特許文献】
【０００５】
【特許文献１】特開２００９−８９４３４号公報
【発明の概要】
【発明が解決しようとする課題】
【０００６】
フェムトセル基地局における電源管理の手法として、受信のための電源を常時ＯＮにしておき、ユーザの無線端末が通信を開始するときに送信のための電源をＯＦＦからＯＮに切り替える手法が想定できる。具体的には、スイッチによって適切な受信フィルタを選択し、周波数リソース要求のために使用されるランダムアクセスチャネル（アップリンク）を常時監視することにより、通信の開始が検出される。
【０００７】
しかしながら、上記手法は、ユーザがフェムトセル基地局を使用しない大部分の時間帯においても、受信のための電力を消費する。特に、ＦＦＲ（Fractional frequency re-use）と呼ばれる干渉回避技術が運用されている場合に、ＦＦＲの規定（事業者仕様）次第ではランダムアクセスチャネルのために複数の異なる帯域を監視する必要がある。このような場合には、受信のための電力がより大きく消費されるので、上記手法による消費電力の削減効果はより小さくなる。
【０００８】
従って、各実施形態は、無線信号の送受信のための電源をＯＦＦにした状態で起動タイミングを検出可能な無線通信装置を提供することを目的とする。
【課題を解決するための手段】
【０００９】
一態様に係る無線通信装置は、アンテナによる受信信号のうちアップリンクチャネル成分を通過させるフィルタ部と、アップリンクチャネル成分を利用して入力電圧を発生する発生部とを含む。この無線通信装置は、入力電圧が閾値電圧よりも高ければＨ信号を出力し、そうでなければＬ信号を出力するコンパレータを含む。この無線通信装置は、アップリンク信号の最小送信時間以上継続してＨ信号が出力され続けると、無線信号の送受信のための電源をＯＦＦからＯＮに切り替える電源管理部を含む。
【００１０】
別の態様に係る無線通信装置は、アンテナによる受信信号のうちアップリンクチャネル成分を通過させるフィルタ部と、アップリンクチャネル成分を利用して入力電圧を発生する発生部とを含む。この無線通信装置は、入力電圧が閾値電圧よりも高ければＨ信号を出力し、そうでなければＬ信号を出力するコンパレータを含む。この無線通信装置は、アップリンク信号の最小送信時間以上継続してＨ信号が出力され続けると、ＧＰＩＯ（General Purpose Input / Output）経由でハードウェア割り込みを行うことにより、無線信号の送受信のための電源をＯＦＦからＯＮに切り替えるプロセッサを含む。
【図面の簡単な説明】
【００１１】
【図１】第１の実施形態に係る無線通信装置を示すブロック図。
【図２】図１の信号調整部の一例を示すブロック図。
【図３】図１の信号調整部の別の例を示すブロック図。
【図４】図１のトリガ信号発生部を示すブロック図。
【図５】ＦＦＲ運用時のＵＬ及びＤＬの周波数割り当てを示す図。
【図６】図３の櫛形ＳＡＷフィルタの減衰特性を示す図。
【図７】図２の第１のＳＡＷフィルタ及び第２のＳＡＷフィルタの減衰特性を示す図。
【図８】ランダムアクセスチャネルにおける送信電力と、図４の第１のコンパレータ及び第２のコンパレータの閾値との説明図。
【図９】第１の実施形態に係る電源管理処理を示すフローチャート。
【図１０】第２の実施形態に係る無線通信装置を示すブロック図。
【発明を実施するための形態】
【００１２】
以下、図面を参照して、実施形態について説明する。  
（第１の実施形態）  
図１に示すように、第１の実施形態に係る無線通信装置は、アンテナ１０１，１０２、ＲＦ（radio frequency）部１１０、ＢＢ（baseband）部１２０、電源管理部１３０、アンテナ１４０、信号調整部１５０、トリガ信号発生部１６０及び閾値更新部１７０を有する。図１の無線通信装置は、例えばフェムトセル基地局であるが、これに限られない。
【００１３】
アンテナ１０１，１０２、ＲＦ部１１０及びＢＢ部１２０は、例えば従来のフェムトセル基地局における対応する要素と同様の機能を持つ。  
アンテナ１０１，１０２は、ＲＦ部１１０から入力されるＲＦ帯の送信信号を放射したり、ＲＦ帯の受信信号をＲＦ部１１０に入力したりする。尚、図１の無線通信装置が持つアンテナの数は、２つに限られない。
【００１４】
ＲＦ部１１０は、ＢＢ部１２０からのベースバンドの送信信号に対してアップコンバート及び調整（デジタル−アナログ変換、フィルタリング、電力増幅など）を行うことにより、上記ＲＦ帯の送信信号を生成する。また、ＲＦ部１１０は、上記ＲＦ帯の受信信号に対してダウンコンバート及び調整（アナログ−デジタル変換、フィルタリング、低雑音増幅など）を行うことにより、ベースバンドの受信信号を生成する。
【００１５】
ＢＢ部１２０は、図１の無線通信装置が利用する無線通信システム（例えば、セルラ通信システム）の無線信号形式に基づいてベースバンド信号処理を行う。例えば、ＢＢ部１２０は、送信データに誤り訂正符号を付加し、インタリーブ処理し、変調することにより、上記ベースバンドの送信信号を生成する。また、ＢＢ部１２０は、ＲＦ部１１０からのベースバンドの受信信号を復調し、デインタリーブ処理し、誤り訂正することにより受信データを生成する。
【００１６】
電源管理部１３０は、ＲＦ部１１０及びＢＢ部１２０の電源を管理する。即ち、電源管理部１３０は、無線信号の送受信のための電源のＯＮ／ＯＦＦを管理することにより、無線信号の送受信を開始／停止させることができる。無線信号の送受信のための電源がＯＦＦの間、ＲＦ部１１０及びＢＢ部１２０による消費電力は理想的には零となる。電源管理部１３０による電源管理処理は後述する。
【００１７】
アンテナ１４０は、電波を受信し、信号調整部１５０に入力する。信号調整部１５０は、アンテナ１４０からの信号を調整して所望の帯域成分を得る。トリガ信号発生部１６０は、信号調整部１５０によって調整された信号を利用してトリガ信号を発生する。電源管理部１３０は、このトリガ信号に基づいてユーザの無線端末からランダムアクセス信号などのアップリンク信号が送信されていることを検出する。以下、信号調整部１５０、トリガ信号発生部１６０及び電源管理部１３０について具体的に説明する。
【００１８】
信号調整部１５０は、図２に示すように、ＬＮＡ（Low Noise Amplifier）スイッチ１５１、ＬＮＡ１５２、フィルタスイッチ１５３、ＳＡＷ（Surface Acoustic Wave）フィルタ１５４，１５５及びフィルタスイッチ１５６を含む。
【００１９】
ＬＮＡ１５２は、アンテナ１４０からの信号のレベルを増幅することによって、トリガ信号発生部１６０における受信レベルを調整する機能を持つ。アンテナ１４０からの信号がＬＮＡ１５２に入力されるか否かは、ＬＮＡスイッチ１５１によって選択される。通常、ユーザの無線端末から送信されるアップリンク信号の受信レベルが低いときに、ＬＮＡ１５２への入力が選択される。図１の無線通信装置としてフェムトセル基地局を想定する場合、ＬＮＡスイッチ１５１の状態はフェムトセル基地局の設置時に手動または自動で設定される。一例として、フェムトセル基地局及びユーザの無線端末が同じ建物内の同じフロアで頻繁に使用される場合などに、ＬＮＡスイッチ１５１はＬＮＡ１５２への入力を選択しないように設定される。一方、フェムトセル基地局及びユーザの無線端末が同じ建物の別のフロアで頻繁に使用される場合などに、ＬＮＡスイッチ１５１はＬＮＡ１５２への入力を選択するように設定される。尚、増幅率の異なる別のＬＮＡを設ける設計、ＬＮＡ１５２の増幅率を可変とする設計なども想定可能である。
【００２０】
アンテナ１４０からの信号は、必要に応じてＬＮＡ１５２によってレベルを増幅されてから、フィルタスイッチ１５３を介して第１のＳＡＷフィルタ１５４及び第２のＳＡＷフィルタ１５５の少なくとも一方に入力される。これら第１のＳＡＷフィルタ１５４及び第２のＳＡＷフィルタ１５５は、所望の帯域成分を通過させる一方、不要な帯域成分を抑圧する。即ち、第１のＳＡＷフィルタ１５４及び第２のＳＡＷフィルタ１５５は、帯域通過型フィルタ（ＢＰＦ；band-pass filter）としての役割を果たす。但し、第１のＳＡＷフィルタ１５４及び第２のＳＡＷフィルタ１５５は、例えば図７に示すように異なる通過帯域を持つ。第１のＳＡＷフィルタ１５４または第２のＳＡＷフィルタ１５５を通過後の信号は、フィルタスイッチ１５６を介してトリガ信号発生部１６０に入力される。フィルタスイッチ１５３及びフィルタスイッチ１５６は、第１のＳＡＷフィルタ１５４及び第２のＳＡＷフィルタ１５５のうち少なくとも一方に信号を通過させるために連動する。
【００２１】
ここで、所望の帯域成分とは、電源管理部１３０が無線信号の送受信のための電源をＯＦＦからＯＮに切り替えるべきか否か（即ち、図１の無線通信装置の起動タイミングであるか否か）を判定するために監視される帯域を意味している。例えば、通信の開始時にランダムアクセス信号が送信されるランダムアクセスチャネルは、この帯域として適している。また、図１の無線通信装置の設置されている建物の外でユーザの無線端末が通信を開始し、通信を継続した状態でユーザがこの建物の中に入って来るという状況を想定するならば、ランダムアクセスチャネル以外のアップリンクチャネル（個別チャネルなど）もまた所望の帯域として扱われてよい。このような設計によれば、ユーザが建物内に入ってからアップリンク信号に基づいて図１の無線通信装置が起動され、通信がハンドオーバするようになる。
【００２２】
通過帯域の異なる第１のＳＡＷフィルタ１５４及び第２のＳＡＷフィルタ１５５を使用することの技術的意義を説明する。ＬＴＥ（Long Term Evolution）のようなＯＦＤＭ（Orthogonal Frequency Division Multiplexing）システムにおいて、セル境界における干渉によりスループットが低下するという問題がある。この干渉回避のための技術として、ＦＦＲが知られている。例えば、ＷｉＭＡＸ（World Interoperability for Microwave Access）システムでは、ＬＴＥシステムに先行してＦＦＲが実際に運用されている。ＦＦＲが運用される場合、図５に示すように、ＦＦＲの規定（事業者仕様）次第ではアップリンクチャネル（ランダムアクセスチャネルを含む）のために複数の異なる帯域を監視する必要がある。ここで、図５においてＵＬはアップリンクチャネルを示しており、ＤＬはダウンリンクチャネルを示している。故に、アップリンクチャネルの監視のために通過帯域の異なる複数のＢＰＦを組み合わせることが必要となる場合がある。特に、ＳＡＷフィルタは、急峻な減衰特性を持つことで知られており、所望の帯域成分を十分に通過させながら不要な帯域成分を十分に抑圧するのに適している。尚、ＳＡＷフィルタは、他のＢＰＦに置き換えられても勿論よい。
【００２３】
また、図６に示すように、ＳＡＷフィルタは、設計次第で複数の通過帯域を持つことができる。このような複数の通過帯域を持つＳＡＷフィルタは、櫛形ＳＡＷフィルタと呼ばれる。図３に示すように、図２におけるフィルタスイッチ１５３、第１のＳＡＷフィルタ１５４、第２のＳＡフィルタ１５５及びフィルタスイッチ１５６は、図６の減衰特性を持つ櫛形ＳＡＷフィルタ１５７に置き換えられてもよい。
【００２４】
トリガ信号発生部１６０には、待機電力の小さい構成が好ましい。例えば、トリガ信号発生部１６０は、図４に示すように、整流回路１６１、増幅器１６２、第１のコンパレータ１６３及び第２のコンパレータ１６４を含む。
【００２５】
整流回路１６１は、信号調整部１５０からの出力信号を整流する。信号調整部１５０の出力信号は、アップリンク受信信号（受信レベルは必要に応じてＬＮＡ１５２によって調整されている）に相当する。即ち、整流回路１６１は、アップリンク受信信号を整流することによって直流電力を発生する。
【００２６】
増幅器１６２は、整流回路１６１からの出力信号の電力を増幅し、第１のコンパレータ１６３及び第２のコンパレータ１６４に電圧を夫々入力する。例えば、増幅器１６２は、整流回路１６１からの出力電流を増幅してから電流−電圧変換し、この電圧を第１のコンパレータ１６３及び第２のコンパレータ１６４に夫々入力する。
【００２７】
第１のコンパレータ１６３は、増幅器１６２からの入力電圧と第１の閾値電圧とを比較し、入力電圧が第１の閾値電圧よりも高ければＨ（High）信号を出力し、そうでなければＬ（Low）信号を出力する。第２のコンパレータ１６４は、増幅器１６２からの入力電圧と第２の閾値電圧とを比較し、入力電圧が第２の閾値電圧よりも高ければＨ信号を出力し、そうでなければＬ信号を出力する。尚、第２の閾値電圧は、第１の閾値電圧よりも高い。第１のコンパレータ１６３及び第２のコンパレータ１６４からの出力信号は、夫々、電源管理部１３０に供給される。
【００２８】
第１のコンパレータ１６３及び第２のコンパレータ１６４の技術的意義について説明する。前述のように、第１のコンパレータ１６３及び第２のコンパレータ１６４への入力電圧は、アップリンクチャネルにおける受信電力を利用して生成される。故に、この入力電圧は、無線端末の送信電力が同じであるとすれば、無線端末と図１の無線通信装置との間で発生する損失が小さいほど高くなるし、この損失が大きいほど低くなる。図１の無線通信装置が例えば屋内に設置されるフェムトセル基地局であれば、この屋内におけるユーザの無線端末からの受信電力の大きさはある程度の範囲内に収まると考えられる。
【００２９】
故に、ユーザの無線端末からのアップリンク信号の受信電力が最も低い場合に対応する入力電圧の大きさに基づいて第１の閾値電圧を設定し、最も高い場合に対応する入力電圧の大きさに基づいて第２の閾値電圧を設定すれば、ユーザの無線端末からのアップリンク信号が受信されているか否かを簡易に判定することができる。例えば、第１のコンパレータ１６３がＬ信号を出力している場合または第２のコンパレータ１６４がＨ信号を出力している場合には、ユーザの無線端末からのアップリンク信号が受信されていないと判定することができる。一方、無線端末のアップリンク信号の最小送信時間以上継続して第１のコンパレータ１６３がＨ信号を出力し続けていて、かつ、第２のコンパレータ１６４がＬ信号を出力し続けている場合には、ユーザの無線端末からのアップリンク信号が受信されていると判定することができる。尚、アップリンク信号の最小送信時間は、図１の無線通信装置がサポートする無線通信方式によって定められる。第１のコンパレータ１６３のＨ信号及び第２のコンパレータ１６４のＬ信号の出力がアップリンク信号の最小送信時間以上継続することを条件とすれば、同程度の受信電力を示す雑音信号が一時的に発生した場合にアップリンク信号を誤検出する事態が回避される。
【００３０】
尚、図１の無線通信装置が例えば屋内に設置されるフェムトセル基地局であれば、一般的に、屋外の無線端末から送信される信号は建材の通過による損失が生じるので、屋内の無線端末から送信される信号の受信電力に比べて小さくなる傾向にある。従って、ユーザ以外の無線端末（より正確には屋外の無線端末）からのアップリンク信号の大半は、比較的小さい受信電力を示すことが予想される。故に、第１のコンパレータ１６３及び第２のコンパレータ１６４を併用せずに、第１のコンパレータ１６３のみを利用してもよい。具体的には、第１のコンパレータ１６３がＬ信号を出力している場合には、ユーザの無線端末からのアップリンク信号が受信されていないと判定することができる。一方、無線端末のアップリンク信号の最小送信時間以上継続して第１のコンパレータ１６３がＨ信号を出力し続ける場合には、ユーザの無線端末からのアップリンク信号が受信されていると判定することができる。
【００３１】
また、一般的に、無線端末は、ダウンリンクにおけるパスロスに基づいてランダムアクセス信号の初回の送信電力を決定する。そして、無線端末は、図８に示すように、アップリンク干渉を考慮し、送信電力を段階的に増加させる。尚、図８において、第１の閾値電圧（ＣＭＰ  Ｔｈ１）に対応する送信電力及び第２の閾値電圧（ＣＭＰ  Ｔｈ２）に対応する送信電力も示されている。無線端末は、ランダムアクセス信号を送信する度に、このランダムアクセス信号に対するＡｃｋ（Acknowledgement）信号またはＮａｃｋ（Negative acknowledgement）信号（無視を含む）を監視（待機）するために１スロット以上の送信間隔を空ける。このような無線端末の一般的な設計思想からも、受信電力の上限値よりもむしろ受信電力の下限値を設定することが、ユーザの無線端末からのアップリンク信号が受信されているか否かを判定するために有効であると考えられる（受信電力の下限値及び上限値の両方を設定しても勿論よい）。
【００３２】
以下、図９を用いて電源管理部１３０が行う電源管理処理を説明する。電源管理処理の開始時点において、無線信号の送受信のための電源はＯＦＦにされている。電源管理処理の開始後に、処理はステップＳ２０１に進む。ステップＳ２０１において、電源管理部１３０はトリガ信号発生部１６０からの入力信号を監視する。具体的には、電源管理部１３０は、前述の第１のコンパレータ１６３及び第２のコンパレータ１６４からの入力信号を監視する。
【００３３】
ステップＳ２０２において、電源管理部１３０は、ランダムアクセスチャネルの検出を試みる。即ち、電源管理部１３０は、ランダムアクセス信号が受信されているか否かを判定する。例えば、電源管理部１３０は、第１のコンパレータ１６３がＬ信号を出力している場合または第２のコンパレータ１６４がＨ信号を出力している場合には、ランダムアクセスチャネルを検出しない。一方、電源管理部１３０は、アップリンク信号の最小送信時間以上継続して第１のコンパレータ１６３がＨ信号を出力し続けていて、かつ、第２のコンパレータ１６４がＬ信号を出力し続けている場合には、ランダムアクセスチャネルを検出する。尚、第２のコンパレータ１６４を用いない場合には、上記判定基準のうち第１のコンパレータ１６３に関する条件のみが適用される。また、図９では、ランダムアクセスチャネルが検出の対象として描かれているが、前述のようにランダムアクセスチャネル以外のアップリンクチャネル（個別チャネルなど）もまた検出の対象とされても勿論よい。ステップＳ２０２において、ランダムアクセスチャネルが検出されれば処理はステップＳ２０３に進み、そうでなければ処理はステップＳ２０１に戻る。
【００３４】
ステップＳ２０３において、電源管理部１３０は、無線信号の送受信のための電源をＯＦＦからＯＮに切り替える。次に、電源管理部１３０は、マクロセル基地局などから図１の無線通信装置への通信のハンドオーバを所定時間待機する（ステップＳ２０４）。ハンドオーバの監視は、図示しないプロセッサなどによって行われてもよいし、電源管理部１３０が行ってもよい。所定時間経過前にハンドオーバが発生すれば処理はステップＳ２０５に進み、所定時間経過時点でハンドオーバが発生していなければ処理はステップＳ２０６に進む。ハンドオーバを所定時間に限って待機することにより、ステップＳ２０２におけるランダムアクセスチャネルの誤検出が予想される場合に電源管理部１３０は無線信号の送受信のための電源を速やかにＯＦＦに戻すことができる（ステップＳ２０６）。
【００３５】
ハンドオーバの有無に関わらず、閾値更新部１７０は第１の閾値電圧及び第２の閾値電圧（コンパレータ閾値）を更新できる（ステップＳ２０５またはステップＳ２０７）。尚、閾値更新部１７０は、更新後のコンパレータ閾値を実際に生成してもよいし、コンパレータ閾値の制御信号を各コンパレータに供給してもよい。また、閾値更新部１７０または図示しない別の要素がＬＮＡスイッチの設定をこのタイミングまたは別のタイミングで更新してもよい。コンパレータ閾値を更新するために、様々な更新アルゴリズムが適用されてよい。例えば、コンパレータ閾値の更新は、ハンドオーバが発生しなかった場合に（ステップＳ２０７）、第１の閾値電圧を増加させたり第２の閾値電圧を減少させたりする（即ち、アップリンクチャネルの検出基準を厳しくする）ことにより行われてもよい。また、例えば、コンパレータ閾値の更新は、ハンドオーバが発生した場合に（ステップＳ２０５）、第１の閾値電圧を減少させたり第２の閾値電圧を増加させたりする（即ち、アップリンクチャネルの検出基準を緩める）ことにより行われてもよい。
【００３６】
以上説明したように、第１の実施形態に係る無線通信装置は、アップリンクチャネルにおける受信電力を利用して電圧を発生させている。そして、この無線通信装置は、アップリンク信号の最小送信時間以上継続してこの電圧の所定の範囲内の値であり続けていることを確認することにより、ランダムアクセスチャネルなどのアップリンクチャネルを検出する。この無線通信装置は、アップリンクチャネルを検出すると無線信号の送受信のための電源をＯＮにする。従って、本実施形態に係る無線通信装置によれば、無線信号の送信のみならず受信のための電源をＯＦＦにした状態で、アップリンクチャネルを検出して起動できる。尚、このアップリンクチャネルにおける受信電力を利用して電圧を発生させるためのハードウェアには、例えば図４に示すトリガ信号発生部１６０のように待機電力の小さい構成が望ましい。
【００３７】
（第２の実施形態）  
前述の第１の実施形態では、図１の電源管理部１３０が図９に示すような電源管理処理を行う。一方、第２の実施形態では、ホストＣＰＵが電源管理処理を行う。図１０に示すように、本実施形態に係る無線通信装置は、アンテナ１０１，１０２、ＲＦ部１１０、ＢＢ部１２０、電源管理部３３０、アンテナ１４０、信号調整部１５０、トリガ信号発生部１６０、閾値更新部１７０及びホストＣＰＵ３８０を有する。図１０の無線通信装置は、例えばフェムトセル基地局であるが、これに限られない。以下の説明では、図１０において図１と同一部分には同一符号を付して示し、異なる部分を中心に述べる。
【００３８】
ホストＣＰＵ３８０は、送受信データ処理などの一般的な処理に加えて、図９に示すような電源管理処理を行う。具体的には、ホストＣＰＵ３８０は、電源のＯＮ／ＯＦＦ制御をＧＰＩＯ（General Purpose Input / Output）経由のハードウェア割り込みによって実現する（例えば、ステップＳ２０３、ステップＳ２０６）。尚、図１０においてホストＣＰＵ３８０が描かれているが、これは代替的に他の種類のプロセッサに置き換えられても勿論よい。
【００３９】
電源管理部３３０は、ＲＦ部１１０及びＢＢ部１２０の電源を上記ハードウェア割り込みに従って管理する。即ち、電源管理部３３０は、無線信号の送受信のための電源のＯＮ／ＯＦＦを上記ハードウェア割り込みに従って管理することにより、無線信号の送受信を開始／停止させることができる。電源管理部３３０が無線信号の送受信のための電源をＯＦＦにしている間、ＲＦ部１１０及びＢＢ部１２０による消費電力は理想的には零となる。
【００４０】
以上説明したように、第２の実施形態に係る無線通信装置は、ホストＣＰＵなどのプロセッサが第１の実施形態と類似した電源管理処理を実現する。従って、本実施形態に係る無線通信装置によれば、第１の実施形態と同一または類似の効果が得られる。
【００４１】
（変形例）  
上記説明の大部分では、各実施形態に係る無線通信装置がフェムトセル基地局である場合を想定している。しかしながら、各実施形態に係る無線通信装置が無線ＬＡＮ（Local Area Network）アクセスポイントである場合にも同一または類似の効果が得られる。
【００４２】
例えば、セルラ通信及び無線ＬＡＮ通信の両方が使用可能な環境において、デュアル端末のユーザはより高速な無線ＬＡＮ通信の利用を望むかもしれない。また、無線ＬＡＮアクセスポイントは、典型的には、ユーザと通信事業者との契約によってユーザの宅内に設置され、接続を許可する無線端末を（例えば、契約ユーザの無線端末などに）制限する点でフェムトセル基地局と類似している。このような使用態様を考慮すれば、フェムトセル基地局と同様に無線ＬＡＮアクセスポイントの稼働する必要のある時間帯は限定的であると推定できる。
【００４３】
上記各実施形態を無線ＬＡＮアクセスポイントに適用するには、電源管理部１３０（または、ホストＣＰＵ３８０及び電源管理部３３０）の電源管理対象を無線ＬＡＮ通信における送受信のための要素（例えば、無線ＬＡＮのためのＲＦ部及びＢＢ部など）の電源とすればよい。このような構成によれば、ユーザのデュアル端末がマクロセル基地局などにランダムアクセス信号（個別チャネル信号などのアップリンク信号を含む）を送信すると、このランダムアクセス信号の検出によって無線ＬＡＮアクセスポイントが起動され、利用可能となる。
【００４４】
尚、上記各実施形態は、その記載の通りに限定されるものではなく、実施段階ではその要旨を逸脱しない範囲で構成要素を変形して具体化できる。また、上記各実施形態に開示されている複数の構成要素を適宜組み合わせることによって種々の態様を形成できる。また、例えば、各実施形態に示される全構成要素からいくつかの構成要素を削除した構成も考えられる。さらに、異なる実施形態に記載した構成要素を適宜組み合わせてもよい。
【００４５】
例えば、上記各実施形態の処理を実現するプログラムを、コンピュータで読み取り可能な記憶媒体に格納して提供することも可能である。記憶媒体としては、磁気ディスク、光ディスク（ＣＤ−ＲＯＭ、ＣＤ−Ｒ、ＤＶＤ等）、光磁気ディスク（ＭＯ等）、半導体メモリなど、プログラムを記憶でき、かつ、コンピュータが読み取り可能な記憶媒体であれば、その記憶形式は何れの形態であってもよい。
【００４６】
また、上記各実施形態の処理を実現するプログラムを、インターネットなどのネットワークに接続されたコンピュータ（サーバ）上に格納し、ネットワーク経由でコンピュータ（クライアント）にダウンロードさせてもよい。
【符号の説明】
【００４７】
１０１，１０２・・・アンテナ
１１０・・・ＲＦ部
１２０・・・ＢＢ部
１３０・・・電源管理部
１４０・・・アンテナ
１５０・・・信号調整部
１５１・・・ＬＮＡスイッチ
１５２・・・ＬＮＡ
１５３・・・フィルタスイッチ
１５４，１５５・・・ＳＡＷフィルタ
１５６・・・フィルタスイッチ
１５７・・・櫛形ＳＡＷフィルタ
１６０・・・トリガ信号発生部
１６１・・・整流回路
１６２・・・増幅器
１６３，１６４・・・コンパレータ
１７０・・・閾値更新部
【図１】
2012015768.tif 000003
【図２】
2012015768.tif 000004
【図３】
2012015768.tif 000005
【図４】
2012015768.tif 000006
【図５】
2012015768.tif 000007
【図６】
2012015768.tif 000008
【図７】
2012015768.tif 000009
【図８】
2012015768.tif 000010
【図９】
2012015768.tif 000011
【図１０】
2012015768.tif 000012
【手続補正書】
【提出日】平成23年8月26日(2011.8.26)
【手続補正１】
【補正対象書類名】特許請求の範囲
【補正対象項目名】全文
【補正方法】変更
【補正の内容】
【特許請求の範囲】
【請求項１】
アンテナによる受信信号からアップリンクチャネル成分をフィルタリングするフィルタ部と、
前記アップリンクチャネル成分に基づいて入力電圧を発生する発生部と、
前記入力電圧が第１の閾値電圧よりも高ければ第１のＨ信号を出力し、そうでなければ第１のＬ信号を出力する第１のコンパレータと、
少なくとも閾値期間に亘って前記第１のＨ信号が出力されると、無線信号の送受信のための電源をＯＦＦからＯＮに切り替える電源管理コントローラと
を具備する無線通信装置。
【請求項２】
前記電源管理コントローラは、前記無線信号の送受信のための電源をＯＦＦからＯＮに切り替えてから所定期間内に前記無線通信装置への通信のハンドオーバが発生しなければ、前記無線信号の送受信のための電源をＯＮからＯＦＦに切り替える、請求項１記載の無線通信装置。
【請求項３】
前記無線信号の送受信のための電源がＯＦＦからＯＮに切り替えられてから前記所定期間内に前記無線通信装置への通信のハンドオーバが発生しなければ、前記第１の閾値を増加させる更新部を更に具備する、請求項２記載の無線通信装置。
【請求項４】
前記入力電圧が前記第１の閾値電圧よりも高い第２の閾値電圧よりも更に高ければ第２のＨ信号を出力し、そうでなければ第２のＬ信号を出力する第２のコンパレータを更に具備し、
前記電源管理コントローラは、少なくとも前記閾値期間に亘って前記第１のＨ信号及び前記第２のＬ信号が出力されると、前記無線信号の送受信のための電源をＯＦＦからのＯＮに切り替える、
請求項１記載の無線通信装置。
【請求項５】
前記フィルタ部は、異なる通過帯域を持つ複数のＳＡＷ（Surface Acoustic Wave）フィルタを含む、請求項１記載の無線通信装置。
【請求項６】
前記フィルタ部は、複数の通過帯域を持つ櫛形ＳＡＷ（Surface Acoustic Wave）フィルタを含む、請求項１記載の無線通信装置。
【請求項７】
アンテナによる受信信号からアップリンクチャネル成分をフィルタリングするフィルタ部と、
前記アップリンクチャネル成分に基づいて入力電圧を発生する発生部と、
前記入力電圧が閾値電圧よりも高ければＨ信号を出力し、そうでなければＬ信号を出力するコンパレータと、
少なくとも閾値期間に亘って前記Ｈ信号が出力されると、ＧＰＩＯ（General Purpose Input / Output）経由でハードウェア割り込みを行うことにより、無線信号の送受信のための電源をＯＦＦからＯＮに切り替えるプロセッサと
を具備する無線通信装置。